(57)【要約】【課題】袋体の密封性を確保出来、且つ応用範囲の広いスライダーを提供することを目的とする。【解決手段】  天井面とこの天井面につながる両側面のＵ字形状のアウタースライダー２と、このアウタースライダー２の内部に入れるインナースライダー３とより成る密封型ファスナー用スライダーにおいて、前記インナースライダー３には、アウタースライダー２内でスライドさせることにより袋体５の口部に設けたファスナー４を開く突起３ｄとファスナー４を閉じる狭窄部３ｃを設け、前記アウタースライダー２の内部の一方には天井部に前記インナースライダー３をスライドさせる傾斜２eを設け、前記アウタースライダー２の両面に袋体５の開口部にファスナー４を設けて通すと共に、前記インナースライダー３をスライドするように設置させて袋体５の開口部を開く突起３ｂを設け、他方には袋体の開口部を閉じる狭窄部３ｃを設ける。【選択図】図６
2015012931.tif 000002
【特許請求の範囲】
【請求項１】
天井面とこの天井面につながる両側面のＵ字形状のアウタースライダー２と、このアウタースライダー２の内部に入れるインナースライダー３とより成る密封型ファスナー用スライダー１であって、
ファスナー４には、袋体の開口部の両側に凸部（４a、４ｂ、４ｂと４ｃ、４ｄ、４ｄ）を設けると共に一方の凸部（４a、４ｂ）を他方の凸部（４ｃ、４ｄ）の間の凹部（４ｆ）に嵌合させて開閉構造とするファスナー４を設け、前記インナースライダー３には、アウタースライダー２内でスライドさせることにより袋体５の開口部に設けたファスナー４を開く突起３ｂとファスナーを閉じる狭窄部３ｃを設け、前記アウタースライダー２の内部の一方には天井部に前記インナースライダー３をスライドさせる傾斜面２eを設け袋体の開口部のファスナー４を開閉することを特徴とする密封型ファスナー用スライダー。
【請求項２】
天井面とこの天井面につながる両側面のＵ字形状のアウタースライダー２と、このアウタースライダー２の内部に入れるインナースライダー３とより成る密封型ファスナー用スライダー１であって、
前記アウタースライダー２には、該アウタースライダー２の両側に凹部２ｆを設けて袋体の開口部とファスナーを開口部とファスナー４を通すと共に、該アウタースライダー２内部の天井部の傾斜面２eにインナースライダー３をスライドするように設置させて該インナースライダー３で袋体５の開口部に設けたファスナー４を開く突起３ｂとファスナーを閉じる狭窄部３ｃを設け、前記ファスナー４の両側に凸部を設けると共に一方の凸部と他方の凸部の間の凹部との嵌合させて開閉構造を設けることを特徴とする密封型ファスナー用スライダー。
【請求項３】
天井面とこの天井面につながる両側面のＵ字形状のアウタースライダー２と、このアウタースライダー２の内部に入れるインナースライダー３とより成る密封型ファスナー用スライダー１であって、
前記インナースライダー３の一方には袋体５の開口部のファスナー４に入る突起３ｂを設け、他方には袋体５の開口部を閉じる狭窄部３ｃを設け、開口部の両側に凸部を設け一方の凸部と他方の凸部の間の凹部との間に狭窄部を設け、ファスナー４には、袋体の開口部の両側に凸部（４a、４ｂ、４ｂと４ｃ、４ｄ、４ｄ）を設けると共に一方の凸部（４a、４ｂ）を他方の凸部（４ｃ、４ｄ）の間の凹部（４ｆ）に嵌合させて開閉構造とし、インナースライダー３がアウタースライダー２の内部天井面の斜面２e方向にスライドすると袋体の開口部を開閉することを特徴とする密封型ファスナー用スライダー。
【請求項４】
天井面とこの天井面につながる両側面のＵ字形状のアウタースライダー２と、このアウタースライダー２の内部に入れるインナースライダー３とより成る密封型ファスナー用スライダー１であって、
前記インナースライダー３の一方には袋体５の開口部のファスナー４に入る突起３ｂを設け、他方には袋体５の開口部を閉じる狭窄部３ｃを設け、口部の両側に凸部を設け一方の凸部と他方の凸部の間の凹部とを嵌合させて開閉構造とするファスナーを設け、前記アウタースライダー２の両側面に長孔２ｃを穿設すると共にインナースライダー３の側面に長円状の突起３ｄを設けて該突起３ｄを嵌め入れ、、前記アウタースライダー２の傾斜面２e側の反対方向に袋体を引くとファスナーの開口部が開口し、袋体を狭窄部方向に引くとファスナーが閉じることを特徴とする密封型ファスナー用スライダー。
【請求項５】
ファスナー４が袋体５の内部の口部近傍の一方に雄部となる突起７aを設け、相手となる他方に雌部となる凹部７ｂを設けてることを特徴とする請求項１〜４のいずれかに記載の密封型ファスナー用スライダー。
【請求項６】
アウタースライダーとこのアウタースライダーの内部に入れるインナースライダーとより成る密封型ファスナー用スライダーであって、前記アウタースライダーの上面には、インナースライダーのスライドが見える窓２ｊを設けたことを特徴とする請求項１乃至５のいずれかに記載の密封型ファスナー用スライダー。
【発明の詳細な説明】
【技術分野】
【０００１】
本発明は、袋体内部に入れる豆類、砂糖や塩或いは薬や肥料等の粒状物などを入れ開閉が容易で且つ口部を密封することの出来る袋体の密封型ファスナー用スライダーに関する。
【背景技術】
【０００２】
通常、薬や豆類や塩等の粒状・粉類を入れる袋体には開封後にこぼれないようにゴムやひも等で開口部に封をして袋体の残りを保存する。しかし再度開口する場合手間が面倒なので、図１６（a）、１６(b)のような口部を開口する突起１６aと閉鎖する狭窄部１６ｂを同時に設けたスライダー（特許文献１）１６、或いは図１５のような分割型のスライダー１７（特許文献２），を、粒体を入れた袋体１５の開口部にファスナー１４を設けてこれらをスライダーで開閉する。この場合、図１６の突起１６aの周囲１６ｃは少し広くなっている。
【０００３】
通常ファスナーは、図１４（a）に示すように、袋体１５の内部の口部近傍の一方に雄部となる突起７aを設け、相手となる他方に図１４（ｂ）に示すように雌部となる凹部７ｂを設けてある。そして、口部の嵌合を開けるときには、スライダー８の突起８aを割り込ませて開け、口部を閉じるときには、図１４（ｃ）に示すように、突起７aと７ｂを嵌合するようになっている。なお、スライダー８には割り込み部８aと挟持部８ｃが設けられており、これらで口部の嵌合を開閉するようになっている。
【先行技術文献】
【特許文献】
【０００４】
特許文献１      図１１（a）、（b）
特許文献２      ２．特開２００９−２９１４２９
特許文献３      ３．特開２０１０−１５４９９
【発明の概要】
【発明が解決しようとする課題】
【０００５】
上記特許文献１のスライダーは、金型の製作が難しく、取り付けや取り外しも難しい。特許文献２のスライダーは分割型であるが、取り付けると分割して外しにくくなる。また、特許文献２や３のスライダーは袋体内部を密封しにくい、という問題がある。
更に、図１３に示すように袋体１５の開口部に設けた複数条の凸部４a、４ｂ、４ｂと凸部４ｃ、４ｄ、４ｄからなるファスナー４では袋体１５の内部を完全密封するための
ファスナーであるがそのためのスライダーはない。しかし場合によってはこのような袋体１５を密封する必要があり、そのためのファスナーやスライダーが必要である。
【０００６】
図１４や図１５に示すようなスライダーは、ファスナーに取り付けるとき端部から嵌め入れることはできず、上部の隅から押し入れることになる。また、スライダーは分割しないで袋体の開口部の密封性を確保できれば最も好ましい。さらに、取り付けやすく、外しやすければ便利で他の袋体にも使用可能でその上比較的安価に製作可能なスライダーであれば、一層好ましい。ところで、考えられるファスナーとして図１３に示すように袋体１５の開口部に設けた複数条の凸部４a、４ｂ、４ｂと対向面の凸部４ｃ、４ｄ、４ｄでは、一方の凸部４a、４ｂ、４ｂは、他方の凸部４ｃ、４ｄ、４ｄの間の凹部に嵌め入れることでファスナーの密封状態を実現することが出来る。しかし実際にはこのようなファスナーやスライダーは無い。
【０００７】
本発明は、上記課題に対処するためになされたものであり、図１４に示すようなファスナーを開閉することができるだけでなく、図１３に示すようなファスナーも開閉することができる袋体の密封性を確保出来る応用範囲の広いスライダーを提供することを目的としている。
【課題を解決するための手段】
【０００８】
請求項１に記載の発明は、天井面とこの天井面につながる両側面のＵ字形状のアウタースライダー２と、このアウタースライダー２の内部に入れるインナースライダー３とより成る密封型ファスナー用スライダー１であって、
ファスナー４には、袋体の開口部の両側に凸部（４a、４ｂ、４ｂと４ｃ、４ｄ、４ｄ）を設けると共に一方の凸部（４a、４ｂ）を他方の凸部（４ｃ、４ｄ）の間の凹部（４ｆ）に嵌合させて開閉構造とするファスナー４を設け、前記インナースライダー３には、アウタースライダー２内でスライドさせることにより袋体５の開口部に設けたファスナー４を開く突起３ｂとファスナーを閉じる狭窄部３ｃを設け、前記アウタースライダー２の内部の一方には天井部に前記インナースライダー３をスライドさせる傾斜面２eを設け袋体のファスナー４の開口部を開閉することを特徴としている。
【０００９】
請求項２に記載の発明は、天井面とこの天井面につながる両側面のＵ字形状のアウタースライダー２と、このアウタースライダー２の内部に入れるインナースライダー３とより成る密封型ファスナー用スライダー１であって、
前記アウタースライダー２には、該アウタースライダー２の両側に凹部２ｆを設けて袋体の開口部とファスナーを開口部とファスナー４を通すと共に、該アウタースライダー２内部の天井部の傾斜面２eにインナースライダー３をスライドするように設置させて該インナースライダー３で袋体５の開口部に設けたファスナー４を開く突起３ｂとファスナーを閉じる狭窄部３ｃを設け、前記ファスナー４の両側に凸部を設けると共に一方の凸部と他方の凸部の間の凹部との嵌合させて開閉構造とすることを特徴とする。
【００１０】
請求項３に記載の発明は、天井面とこの天井面につながる両側面のＵ字形状のアウタースライダー２と、このアウタースライダー２の内部に入れるインナースライダー３とより成る密封型ファスナー用スライダー１であって、
前記インナースライダー３の一方には袋体５の開口部のファスナー４に入る突起３ｂを設け、他方には袋体５の開口部を閉じる狭窄部３ｃを設け、開口部の前記ファスナー４の両側に凸部を設け一方の凸部と他方の凸部の間の凹部との間に狭窄部を設け、ファスナー４には、袋体の開口部の両側に凸部（４a、４ｂ、４ｂと４ｃ、４ｄ、４ｄ）を設けると共に一方の凸部（４a、４ｂ）を他方の凸部（４ｃ、４ｄ）の間の凹部（４ｆ）に嵌合させて嵌合させて開閉構造とし、インナースライダー３がアウタースライダー２の内部天井面の斜面２e方向にスライドすると袋体の開口部を開閉することを特徴とする。
【００１１】
請求項４に記載の発明は、天井面とこの天井面につながる両側面のＵ字形状のアウタースライダー２と、このアウタースライダー２の内部に入れるインナースライダー３とより成る密封型ファスナー用スライダー１であって、
前記インナースライダー３の一方には袋体５の開口部のファスナー４に入る突起３ｂを設け、他方には袋体５の開口部を閉じる狭窄部３ｃを設け、口部の両側に凸部を設け一方の凸部と他方の凸部の間の凹部とを嵌合させて開閉構造とするファスナーを設け、前記アウタースライダー２の両側面に長孔２ｃを穿設すると共にインナースライダー３の側面に長円状の突起３ｄを設けて該突起３ｄを嵌め入れ、、前記アウタースライダー２の傾斜面２e側の反対方向に袋体を引くとファスナーの開口部が開口し、袋体を狭窄部方向に引くとファスナーが閉じることを特徴とする。
【００１２】
請求項５に記載の発明は、ファスナー４が袋体５の内部の口部近傍の一方に雄部となる突起７aを設け、相手となる他方に雌部となる凹部７ｂを設けてることを特徴とする
請求項１〜４のいずれかに記載されていることを特徴とする。
【００１３】
請求項６に記載の発明は、アウタースライダーとこのアウタースライダーの内部に入れるインナースライダーとより成る密封型ファスナー用スライダーであって、前記アウタースライダーの上面には、インナースライダーのスライドが見える窓２ｊを設けたことを特徴とする請求項１乃至５のいずれかに記載されていることを特徴とする。
【発明の効果】
【００１４】
この袋体の密封型ファスナー用スライダーは、ファスナーを取り付けた袋体を密封することが可能となる。しかもこの密封型ファスナー用スライダーは、インナースライダーをとりつけた状態のアウタースライダーを外から袋体に嵌めるだけで簡単に袋体に取り付けることが出来る。
【００１５】
本発明のアウタースライダーもインナースライダーも分割する箇所はなく、金型も精度良く製作することが出来る。また、製品の材料として少し弾力性のある樹脂材を用いれば、アウタースライダーとインナースライダーの組み立ては、比較的容易である。
【００１６】
本願発明の袋体の密封型ファスナー用スライダーは、或る袋体に使用してその袋体を使用し終えると他の袋体にも使用することができる。従って無駄になることは無いので省資源にも役立つ。更に、若干袋体のサイズが異なっていても使用可能であるから、このような面からもスライダーの種類を減らすことができる。
【図面の簡単な説明】
【００１７】
【図１】図１（a）は本願発明の密封型ファスナー用スライダーの平面図であり、図１（ｂ）は本発明の密封型ファスナー用スライダーの正面図であり、図１（ｃ）は本発明の密封型ファスナー用スライダーの底面図である。
【図２】図２（a）は本願発明の密封型ファスナー用スライダーの正面図である図１（ｂ）の左側面図であり、  図２（ｂ）は本願発明の封型ファスナー用スライダーの正面図である図１（ｂ）の右側面図である。
【図３】図３は本願発明の袋体の密封型ファスナー用スライダーを組み立てた場合の下方向から見た斜視図である。
【図４】図４は袋体に取り付けた状態の本願発明の密封型ファスナ用スライダーを下方向から見た斜視図である。
【図５】図５は、図１（ｂ）のX―X矢視断面図である。
【図６】図６（a）は、図５のZ―Z矢視断面図であり、  図６（ｂ）は、図４（a）のY―Y矢視断面図である。
【図７】図７（a）は本願発明の密封型ファスナー用スライダーを袋体に組み立てた状態の一部正面図であり、図７（ｂ）は図７（ｃ）のZ―Z矢視断面図であり、図５（ｃ）は図５（a）のY―Y矢視断面図である。
【図８】図8（a）は袋体の左端に行った密封型スライダーを右方向へスライドさせる場合の正面図であり、図８（ｂ）は図８（ｃ）のZ―Z矢視断面図であり、図８（ｃ）は図８（ｂ）のY―Y矢視断面図である。この場合、袋体のファスナーにインナースライダーの突起が入る。
【図９】図９（a）は密封型スライダーを袋体の右方向へスライドさせる場合の正面図であり、図９（ｂ）は図９（ｃ）のZ―Z矢視断面図であり、図９（ｃ）は図９（ｂ）のY―Y矢視断面図である。この場合、図８と同様袋体のファスナーにインナースライダーの突起が入る。
【図１０】図１０（a）は袋体に密封型スライダーを取り付けた状態の正面図であり、図１０（ｂ）は図１０（ｃ）のZ―Z矢視断面図であり、図１０（ｃ）は図１０（ｂ）のY―Y矢視断面図である。この場合、袋体のファスナーにはインナースライダーの突起は入らないで、ファスナーを閉じる。
【図１１】図１１（a）は本願発明の密封型スライダーを袋体から外す場合の正面図であり（ｂ）は同じ方向の案面図である。
【図１２】図１２（a）は本願発明のインナースライダーの平面図であり、図１２（ｂ）は正面図であり、図１２（ｃ）は右側面図である。
【図１３】図１３は、袋体の開口部に設けるファスナーの特殊な構造の断面図であって、図１３（a）は閉鎖状態のファスナーであり、図１３（ｂ）は開いた状態のファスナーである。
【図１４】図１４(a)は袋体入り口の雄のファスナーと雌のファスナーとが嵌合した状態の断面図であり、図１４（ｂ）は嵌合した状態のファスナーの突起と雌の凹部とをスライダーの突起で分離する状態の断面図であり、図１４（ｃ）はファスナーの突起と雌の凹部とを再び嵌合する状態の断面図である。
【図１５】図１５は、分離型のスライダーで袋体の嵌合部を開閉する場合の図である。
【図１６】図１６は、従来から知られている一般的なスライダーで袋体の嵌合部を開閉する場合の図である。
【発明を実施するための形態】
【００１８】
以下、本願発明を実施するための具体的形態について図面を参照して説明する。
図１（a）は本願発明の袋体の密封型ファスナー用スライダー１の平面図であり、図１（ｂ）は本願発明の袋体の密封型ファスナー用スライダー１の正面図であり、図１（ｃ）は本願発明の袋体の密封型ファスナー用スライダー１（以下、密封型ファスナー用スライダー１とする）の底面図である。本願発明の密封型ファスナー用スライダー１は、天井面２aとこの天井面２aにつながる両側面２ｂ及び２ｂの断面Ｕ字形状のアウタースライダー２と、このアウタースライダー２の内部に入れるインナースライダー３とより構成される。また、インナースライダー３の天井面３aはアウタースライダー２の天井面をスライドするが、このアウタースライダー２の天井面の一部には傾斜面２eが形成されている（図３参照）。アウタースライダー２の２ｆは袋体５の通り溝である。また、アウタースライダー２には上面にインナースライダー３の動作が見える窓２ｊがもうけてある。
【００１９】
図２（a）は本発明の密封型ファスナー用スライダー１の正面図である２（ｂ）の左側面図であり、図２（ｂ）は本願発明の密封型ファスナー用スライダー１の正面図である図１（ｂ）の右側面図である。そして、図３は本発明の密封型ファスナー用スライダー１を組み立てる際の下方向から見た斜視図であり、図４は袋体５に取り付けた状態の本願発明の密封型ファスナー用スライダー１を下方向から見た斜視図である。前記アウタースライダー２には、後述するように、側壁に長穴２ｃが、設けられ、インナースライダー３の両側には、前記アウタースライダー２の長穴２ｃに入る突起３ｄ、３ｄが設けられている。この突起３ｄは楕円（長円）であるが、その理由はアウタースライダー２の長穴２ｃに入れたときインナースライダー３が回転して下側に落下しないようにするためだある。しかし回転しないように工夫するのであればこの突起３ｄは円筒型でもよい。更に、前記インナースライダー３には、片側に袋体５のファスナー４に入る突起３ｂが設けられ、他方には片側に袋体５のファスナー４を閉鎖（閉じる）狭窄部３ｃが設けられている。
【００２０】
図１（ｃ）及び図３及び図４にも示すよう、前記アウタースライダー２の内側天井２
a
インナースライダー３の片側には該インナースライダー３をスライドさせると袋体５    の口部に設けたファスナー４を開口する突起３ｂが設けられ、また、他方にはファス
ナー４を閉鎖する狭窄部３ｃが設けられ、前記アウタースライダー２の内部の一方に
は内部天井部２aに前記インナースライダー３をスライドさせ乗り上げる傾斜面２aが    設けられている。
【００２１】
図１（a）及び図１（ｃ）に示すように、左右の開口部にある凹部２ｆ、２ｆは、特に袋体５のファスナー４を通す部分である。これらの凹部２ｆと凹部２ｆは上下に突き抜けて設けてある（図３及び図４参照）。図３に示すように、アウタースライダー２の中にインナースライダー３が嵌められるが、袋体５のファスナー４は狭窄部３ｃを構成する柱部３ｄ、３ｄと、ファスナー４に入り込む突起３ｂが見える。この状態では袋体５のファスナー４の上にはインナースライダー３の突起３ｂは入らず、袋体５のファスナー４は前記柱部３e、３eから成る狭窄部３ｃにより閉鎖される。また、アウタースライダー２に設けてある長穴２ｃにはインナースライダー３の突起３ｄが嵌められている。
【００２２】
図６（a）及び図５のZ-―Z矢視断面図である図６（ｂ）に示すように、アウタースラ
イダー２にインナースライダー３を嵌め入れ、インナースライダー３をアウタースライダー２の内側天井の平坦部２ｄをスライドさせると、インナースライダー３の袋体５のファスナー４は閉鎖され突起３ｂはファスナー４から外れる、即ち、袋体５は開口部が閉鎖された状態となる。なお、アウタースライダー２の外側側壁には滑り止め２ｈが設けられている。
【００２３】
図７（a）は本願発明の密封型ファスナー用スライダー１を袋体５に組み立て、袋体５の左端部（図の左端部）に位置した状態の一部正面図であり、図７（ｂ）は図７（ｃ）のZ―Z矢視断面図であり、図７（ｃ）は図７（a）のY―Y矢視断面図である。この場合インナースライダー３は袋体５の図の左端部の位置に来て該袋体５のファスナー４を閉鎖している。また、インナースライダー３の突起３ｂは袋体５のファスナー４には入らない。
【００２４】
図8（a）は袋体の左端に行った密封型スライダーを右方向へスライドさせる場合の一部正面図であり、図８（ｂ）は図８（ｃ）のZ―Z矢視断面図であり、図８（ｃ）は図８（ｂ）のY―Y矢視断面図である。この場合、インナースラスライダー３の内部の天井面３aはアウタースライダー２の傾斜面２eに乗り、インナースライダー３の突起３aが袋体５のファスナー４に入る。そしてこの状態で本願発明の封型ファスナー用スライダー１をスライドさせると袋体５の口部のファスナー４は、開かれる状態となる。
【００２５】
図９（a）は袋体５の左端にある本願発明の密封型スライダー１を右方向へスライドさせる場合の一部正面図であり、図９（ｂ）は図９（ｃ）のZ―Z矢視断面図であり、図９（ｃ）は図９（a）のY―Y矢視断面図である。この場合、インナースライダー３はアウタースライダー２の内部の傾斜面２ｅに乗った状態となり、右方向へ移動するため該インナースライダー３は、図９に示すように図９（a）の左端から右方向へ移動すると、突起３ｂは袋体５のファスナー４に入り該袋体５の口部が開いた状態となる。
【００２６】
図１０は袋体の開口部を密封して本願発明の密封型スライダー１を外すための図である。  図１０（a）は袋体５の左端にある密封型スライダー１を右方向へスライドさせる場合の一部正面図であり、図１０（ｂ）は図１０（ｃ）のZ―Z矢視断面図であり、図１０（ｃ）は図１０（a）のY―Y矢視断面図である。これ等の図は、インナースライダー３の突起３ｂをファスナー４に入れ、図９の袋体５の口部のファスナー４を開いた状態から袋体５の口部を閉じる状態の動き（密封型スライダーを右から左方向へ移動させる状態を示した図である）である。
この場合インナースライダー３の突起３ｂは袋体５のファスナー４に入らず、袋体５のファスナー４は狭窄部３ｃによって閉鎖される。
【００２７】
図１１（a）は袋体５に密封型スライダー１を装着した状態の一部正面図であり、図１１（ｂ）は同じ状態の図１１（a）の状態の中央断面図である。これらの図は袋体５のファスナー４を閉鎖した状態で、この袋体５から本願発明の密封型スライダー１を外す場合の様子を示している。このように袋体５のファスナー４から密封型スライダー１を外せば袋体５の中に物を入れて密封した状態となる。逆に袋体５に密封型スライダー１を差し入れてインナースライダー３をスライドさせてアウタースライダー２の内部の傾斜面２ｅに乗せると口部を開けて袋体５に物を入れることができる。
【００２８】
図１２（a）は本願発明の密封型スライダー１を構成するインナースライダー３の平面図であり、図１２（ｂ）は正面図であり、図１２（ｃ）は右側面図である。このインナースライダー３はアウタースライダー２の内部に嵌め入れるスライダーであり、該インナースライダー３の狭窄部３ｃで袋体５の口部のファスナー４を開閉する。また、前記突起３ｄはアウタースライダー２に設けた長穴２ｃに嵌め入れる突起であり、３ｂはインナースライダー３に設けて袋体５のファスナー４に嵌め入れて袋体５の口部を開ける突起であり、３e、３eは袋体５のファスナー４を閉鎖するための狭窄部３ｃを構成する柱部である。
こうして本願発明の密封型スライダー１はこのインナースライダーで袋体５のファスナー４の開閉を行う機能を有する。また、本発明は袋体口部に設けるファスナー４を従来の雄と雌型のファスナーにも適用することができる。
【産業上の利用可能性】
【００２９】
本願発明により袋体の密封型ファスナー用スライダーとしてファスナーを設けた袋体を簡単に開閉することができる。また、袋体の開口部を完全に密封することが出来るので袋体を多数製作して種々の用途に利用することができる。また、完全密封の袋体として利用することができるので応用範囲が広い。
【符号の説明】
【００３０】
１      袋体の密封型ファスナー用スライダー
２      アウタースライダー
２a     天井面
２ｂ    裏面
２ｃ    長穴
２ｅ    斜視面                                                                     2j      窓
３     インナースライダー
３a    インナースライダーの天井
３ｂ    突起
３ｃ    狭窄部
３e     狭窄部用柱部
４      ファスナー  
４a、４ｂ    一方の凸部
４ｃ、４ｄ    他方の凸部
４ｆ    他方の凹部
５      袋体
【図１】
2015012931.tif 000003
【図２】
2015012931.tif 000004
【図３】
2015012931.tif 000005
【図４】
2015012931.tif 000006
【図５】
2015012931.tif 000007
【図６】
2015012931.tif 000008
【図７】
2015012931.tif 000009
【図８】
2015012931.tif 000010
【図９】
2015012931.tif 000011
【図１０】
2015012931.tif 000012
【図１１】
2015012931.tif 000013
【図１２】
2015012931.tif 000014
【図１３】
2015012931.tif 000015
【図１４】
2015012931.tif 000016
【図１５】
2015012931.tif 000017
【図１６】
2015012931.tif 000018